(57)【要約】【課題】散薬フィーダの散薬残量を低減する。また散薬排出完了の検出を早める。【解決手段】集塵手段３０，５２を装備した筐体の中に散薬フィーダ６０の散薬収容器４２まで収め、その上方には開閉カバー５１を設け、散薬収容器４２に風を送り込む送風手段６１，６２を筐体の中に設置する。また、送出検出部材４４を散薬送出部６４の先方に設置したのに加えて、散薬収容器４２の中を通過した反射光を検出する収容検出部材６３を開閉カバー５１の下面に付設し、その計測部位６５は鏡面状に仕上げ周囲はマット仕上げする。さらに、収容検出部材６３の反射光検出に応じて振動Ａと送風Ｃを強化する。【選択図】        図１
2008149036.tif 000002
【特許請求の範囲】
【請求項１】
集塵手段を装備した筐体と、散薬投入用に上面の解放された散薬収容器の下方に設けられた散薬送出部を振動させて散薬送出を行う散薬フィーダとを備えた散薬調剤機において、前記散薬フィーダが前記散薬送出部に加えて前記散薬収容器まで前記筐体の中に収められ、前記散薬フィーダへの散薬投入を可能とする開閉カバーが前記筐体の上部に付設され、前記散薬収容器に風を送り込む送風手段が前記筐体の中に設置されていることを特徴とする散薬調剤機。
【請求項２】
落下散薬の有無を検出する送出検出部材が前記散薬送出部の先方に設置されており、前記散薬収容器の中を通過した反射光を検出する収容検出部材が前記開閉カバーの下面に付設されており、この収容検出部材による計測部位が鏡面状に仕上げられており、この計測部位の周囲がマット仕上げされていることを特徴とする請求項１記載の散薬調剤機。
【請求項３】
前記収容検出部材の反射光検出に応じて送風および振動を強化することを特徴とする請求項２記載の散薬調剤機。
【発明の詳細な説明】
【技術分野】
【０００１】
この発明は、散薬分包機などの散薬調剤機に関し、詳しくは、散薬を振動にて定量送りする散薬フィーダが組み込まれており更に散薬の飛散を防止するための集塵機が付設されている散薬調剤機に関する。
【背景技術】
【０００２】
散薬を能率良く分包したり精度良く混合する等のため散薬フィーダや散薬分配分割装置を２台実装した散薬分包機が最近よく用いられており（例えば特許文献１参照）、そのような散薬分包機には包装装置が組み込まれている。包装装置は、分包帯の補充等のため引出可能に装備されており、錠剤分包機にも使用・併用しうるものとなっているが（例えば特許文献２参照）、散薬分包機に組み込まれた包装装置には、大抵、散薬飛散防止のため、集塵機が付設されている。
【０００３】
このような従来の散薬分包機１０について、図面を引用しながら本発明の説明に役立つ事項を掻い摘んで説明する。図２は、（ａ）が散薬分包機１０の正面模式図、（ｂ）が散薬分包機１０の外観斜視図、（ｃ），（ｄ）が散薬分包機１０の右側面模式図、（ｅ）が散薬フィーダ４０の概要ブロック図、（ｆ）が散薬収容器４２及び散薬送出部４３の斜視図である。
【０００４】
散薬分包機１０には、それぞれが散薬フィーダ４０（散薬供給装置）を実装した２台の散薬分配分割装置１２〜１４が左右に並んで設置されている。
散薬フィーダ４０は、振動することで散薬を等速で少しずつ送出する振動式が一般的であり、送出を待っている散薬を一時貯留しておく散薬収容器４２と、この散薬収容器４２の排出口４２ａから排出された散薬に振動を与えながら一定経路を流下させることで排出量・流量を安定させるトラフ状の散薬送出部４３と、その振動強度を可変制御しうる振動源としての振動発生部材４５及び駆動回路４１とを具えている。
【０００５】
散薬分配分割装置１２〜１４は、必要量だけ秤量された散薬を分包単位で均等に分割するために、上記の散薬フィーダ４０に加えて、回転しながらその散薬を溝に受けることで円環状に均す環状テーブル１３（Ｒ円盤）と、これを回転させるテーブル駆動部１４と、環状テーブル１３の溝から散薬を所定量ずつ切り出す切り出し装置１２を具えている。
両散薬分配分割装置１２〜１４の中間位置には、共通ホッパー１５が設置されており、これによって、切り出された散薬が包装装置本体２０へ導かれるようになっている。
【０００６】
包装装置本体２０は、散薬分配分割装置１２〜１４にて分割され共通ホッパー１５にて落下案内された散薬を分包帯（分包紙）にて区分包装するために、分包帯の送り経路に沿って順に、分包帯のロールを保持するとともに適度なテンションを付与して先端から順に送り出す包装帯送給部と、分包帯に印刷を行うプリンタ（プリントヘッド）と、縦に延びた発熱体を具有し分包帯の縦シール部を加熱して融着させる縦シール部材（ヒートシール）と、上下動して分包内に先端を挿抜する投入ホッパー２４と、横に延びた発熱体を具有し分包帯の横シール部を加熱して融着させる横シール部材と、分包帯を引っ張るローラ部と、分包帯にミシン目を入れたり切断したりするカッターとが設けられている。
【０００７】
このような散薬分包機１０の筐体内で空いているところには制御装置１９（コントローラ）が設置されており、その制御によって、散薬フィーダ４０の散薬供給動作や，散薬分配分割装置１２〜１４の分配分割動作，包装装置本体２０の区分包装動作が適切に連動して遂行されるようになっているので、作業者が分包しようとする散薬を必要量だけ秤量して散薬フィーダ４０の散薬収容器４２へ投入して、散薬分包機１０を作動させると、後は自動で散薬が分包される。
すなわち、散薬フィーダ４０から散薬がほぼ一定流量で送出されるが、そのとき環状テーブル１３が定速回転していて、散薬フィーダ４０から送出された散薬は、環状テーブル１３上へほぼ均一に分配される。
【０００８】
そして、分配が済むと、逐次、環状テーブル１３を所定角度ずつ回転させながら、切り出し装置１２による切り出しが行われ、切り出された散薬は、共通ホッパー１５を経て、投入ホッパー２４が上下動する度にそこへ投入され、包装装置本体２０によって分包帯のそれぞれの区分内に封じられる。
このような包装装置本体２０は包装装置台座１７上に配設されており、この包装装置台座１７が包装装置引出１８等の引出機構にて支持されているので、包装装置本体２０は、前方へ引き出して例えば分包帯のロールを補充し、それから後方へ押し込んで分包動作を再開させることができるようになっている。
【０００９】
また、包装装置本体２０には集塵機が付設されているが、集塵機本体３０（負圧吸引源）は一緒に引き出さなくても済むようになっている。具体的には、集塵機本体３０は包装装置台座１７の下方の筐体内底等に固定して格納設置され、その集塵機本体３０から包装装置台座１７上へ集塵ホース３１（集塵用管体部）が延ばされ、その集塵ホース３１の先端の集塵ヘッド３２（集塵用吸気部）が吸気口を投入ホッパー２４等に向けた状態で包装装置台座１７に固定設置されている。集塵ヘッド３２が包装装置本体２０と共に引き出されて移動することがあるのに対し集塵機本体３０は常に固定されているので、両者に繋がる集塵ホース３１には、フレキシブルホース等の柔軟な管体が採用されている。
【００１０】
このような散薬分包機１０における散薬フィーダ４０について（図２（ｅ），（ｆ）参照）、本発明の説明に役立つ事項を更に説明する。
駆動回路４１は、例えば振幅可変な発振回路とその発振信号に従ってスイッチングするパワートランジスタとを有して所望の駆動電圧や駆動電流を生成するものであり、振動発生部材４５は、その駆動電圧等を受けて伸縮や回転等して振動を生じるピエゾ素子や偏心モータ等を含んだものであり、振動発生部材４５による散薬収容器４２及び散薬送出部４３の振動状態は、駆動回路４１を介する制御装置１９の制御によって、強度を変えたり周波数を変えたりすることができるようになっている。
【００１１】
散薬収容器４２や散薬送出部４３は、プラスチックの射出成形等にて一体成形されることもあれば、別体で作られることもあるが、何れにしても協動する状態で振動発生部材４５の上に又はフィーダベース４６の上に装着されるようになっている。その装着に際しては、散薬収容器４２側より散薬送出部４３側が少し低くなるように傾斜がつけられるとともに、着脱可能なように更には着脱容易または着脱自在なように、ネジ等による締結や、フック等による掛止・係止、クランパやクリップ等による挟持などで取り付けられる。それらに加えて駆動回路４１も搭載したフィーダベース４６は、適宜なダンパー等を介して散薬分包機１０の支持枠等に取り付けられている。
【００１２】
散薬収容器４２は、ホッパーやタッパーのような箱形の容器で、内側に仕切りが有ったり無かったりするが、上部が大きく開口しており、その下端部のうち散薬送出部４３に連なるところには横長で狭い排出口４２ａも開口形成されている。この排出口４２ａは散薬送出部４３によって下側から両脇まで囲まれている。なお、排出口４２ａを明確に形成しないで、散薬収容器４２の下端（後述の底面４２ｂ）と散薬送出部４３の上面との隙間を散薬排出に利用するようになっているものもある。散薬送出部４３は、そこを始端として断面Ｕ字状のまま延びて所定長の直線溝状案内路を形成しており、そのためトラフとも呼ばれている。
【００１３】
その散薬送出部４３の先端のところには、そこから送出散薬が流れ出て落ちて来ているか否かを即ち落下散薬の有無を検出するために、送出検出部材４４が付設されている。これにはフォトセンサ等が用いられるが、その光量や感度等の経年変化等の影響を回避すべく、バンドパスフィルタ等も併用されていて、流下に伴う散薬分布の揺らぎを検出するようになっている。そして、その検出結果が制御装置１９へ送出されるようにもなっている。なお、送出検出部材４４は、散薬送出部４３に装着されることもあれば、散薬分包機１０の支持枠等に取り付けられて散薬送出部４３の先端に臨むこともある。
【００１４】
【特許文献１】特開２００１−９７５３２号公報
【特許文献２】特開２０００−１８５７０３号公報
【発明の開示】
【発明が解決しようとする課題】
【００１５】
このような従来の散薬調剤機では、散薬フィーダの表面に付着する散薬の量を僅少に抑えるために、散薬フィーダの表面のうち少なくとも散薬の触れる部分には予め製造時にマット仕上げが施されており、さらに動作時には送出検出部材による散薬排出完了の検出に応じて散薬フィーダを強く振動させるといったことが行われる。
しかしながら、散薬の付着を完全に無くすことは難しく、散薬の残量が多いと、自動調剤後の清掃作業等を丁寧に行わなければならないため、作業者に負担が掛かるばかりか、手作業の時間割合が増えて自動装置の稼働率が低下する。
そこで、散薬の残量を一層低減しうるよう散薬フィーダを改良することが重要な技術課題となる。
【００１６】
また、散薬送出部の先に設けられた送出検出部材による検出では散薬排出完了の検出タイミングが遅れがちなため、散薬フィーダからの散薬排出に必要以上の時間が掛かるうえ、散薬排出完了時になされる散薬フィーダの振動強化によってその前後に散薬排出量の低下と一時増加とが生じる。このような排出散薬の流量変動は散薬分配の均一性を損なうので好ましくない。
そこで、散薬フィーダからの散薬排出の完了が間近に迫ったことを完了以前に検出しうるよう散薬フィーダに更なる工夫を凝らすことが更なる技術課題となる。
【課題を解決するための手段】
【００１７】
本発明の散薬調剤機は（解決手段１）、このような課題を解決するために創案されたものであり、散薬投入用に上面の解放された散薬収容器とその下方に設けられた散薬送出部とこれを振動させて散薬送出を行う振動源とを有する散薬フィーダと、集塵手段を装備した筐体とを備えた散薬調剤機において、前記散薬フィーダが前記散薬送出部に加えて前記散薬収容器まで前記筐体の中に収められ、前記散薬フィーダへの散薬投入を可能とする開閉カバーが前記筐体の上部に付設され、前記散薬収容器に風を送り込む送風手段が前記筐体の中に設置されていることを特徴とする。
【００１８】
また、本発明の散薬調剤機は（解決手段２）、上記解決手段１の散薬調剤機であって、落下散薬の有無を検出する送出検出部材が前記散薬送出部の先方に設置されており、前記散薬収容器の中を通過した反射光を検出する収容検出部材が前記開閉カバーの下面に付設されており、この収容検出部材による計測部位が鏡面状に仕上げられており、この計測部位の周囲がマット仕上げされていることを特徴とする。
【００１９】
さらに、本発明の散薬調剤機は（解決手段３）、上記解決手段２の散薬調剤機であって、前記収容検出部材の反射光検出に応じて送風と振動を強化することを特徴とする。
【発明の効果】
【００２０】
このような本発明の散薬調剤機にあっては（解決手段１）、送風手段を設けて散薬収容器に風が送り込まれるようにしたことにより、散薬フィーダの表面に付着した散薬が可成りの割合で風圧によってフィーダ表面から払い落とされる。特に送風が振動と同時に行われると散薬が効率良くフィーダ表面から離れる。そのため、散薬フィーダの表面に付着して最後まで残る散薬の量は少なくなる。
なお、送風を組み合わせても、送風を担う送風手段や送風を受ける散薬フィーダが総て集塵手段付きの筐体に収まっているので、散薬の飛散による不都合は防止されている。
また、散薬フィーダの散薬収容器まで筐体に格納しても、筐体の上部に開閉カバーが付設されていて、それを開ければ散薬フィーダに散薬を投入することが可能なので、不都合はない。
したがって、この発明によれば、散薬フィーダの散薬残量が少ない散薬調剤機を実現することができる。
【００２１】
また、本発明の散薬調剤機にあっては（解決手段２）、散薬収容器の上方に開閉カバーが設けられたのを利用して、その下面に収容検出部材が付設されているので、散薬収容器の中を通過した反射光を収容検出部材にて検出することで、散薬送出部の散薬導入部・上流部でもある散薬収容器の底面に散薬が未だ有るのかそこから散薬が送出されて無くなったのかを反射光の有無に基づいて検知することができる。しかも、それによる散薬収容器の空状態の検知タイミングは、散薬送出部の下流部・先端部や送出検出部材の検出先から散薬が無くなるタイミングよりも、先行する。そのため、散薬フィーダからの散薬排出の完了が間近に迫ったことを送出検出部材での完了検出よりも前に自動検出することができることとなる。
【００２２】
なお、収容検出部材による計測部位がマット仕上げのままだと乱反射のため反射光が測定し難いが、収容検出部材による計測部位が鏡面状に仕上げられているので、乱反射の不所望な影響は回避される。また、一般に鏡面状仕上げ面にはマット仕上げ面より散薬が付着しやすいが、鏡面状仕上げが計測部位に限定されていることと、振動に送風まで加わって散薬付着防止機能が強化されていることとが相まって、散薬残量の低減性能を損なうことなく、散薬収容器が空になったことを的確に検知することができる。
したがって、この発明によれば、散薬フィーダの散薬残量が少ないうえ散薬フィーダからの散薬排出の完了が間近に迫ったことを完了以前に検出しうる散薬調剤機を実現することができる。
【００２３】
さらに、本発明の散薬調剤機にあっては（解決手段３）、送風と振動とが収容検出部材の反射光検出に応じて強化されるようにしたことにより、送出検出部材の検出を利用していたのでは遅すぎた強化タイミングが適度に早められることから、散薬フィーダからの散薬排出に要する時間が短縮されるうえ、散薬排出完了時における散薬フィーダの散薬排出量が安定して漸減するので、散薬分配の均一性が向上することとなる。
したがって、この発明によれば、散薬フィーダの散薬残量が少ないうえ散薬フィーダから短時間で均一に散薬を分配する散薬調剤機を実現することができる。
【発明を実施するための最良の形態】
【００２４】
このような本発明の散薬調剤機について、これを実施するための具体的な形態を、以下の実施例１により説明する。
図１に示した実施例１は、上述した解決手段１〜３（出願当初の請求項１〜３）を従来例と同じく散薬分包機として具現化したものである。
なお、その図示に際しては、簡明化等のため、ボルト等の締結具，ヒンジ等の連結具，電動モータ等の駆動源，タイミングベルト等の伝動部材，モータドライバ等の電気回路，コントローラ等の詳細な電子回路などは図示を割愛し、発明の説明に必要なものや関連するものを中心に図示した。また、図示に際し従来と同様の構成要素には同一の符号を付して示したので、重複する再度の説明は割愛し、以下、従来との相違点を中心に説明する。
【実施例１】
【００２５】
本発明の散薬調剤機の実施例１である散薬分包機５０について、その具体的な構成を、図面を引用して説明する。図１は、（ａ）が散薬分包機５０の外観斜視図、（ｂ）が散薬分包機５０の右側面模式図、（ｃ）が散薬フィーダ６０の概要ブロック図、（ｄ）が散薬フィーダ６０の要部の展開斜視図である。
【００２６】
この散薬分包機５０が従来の散薬分包機１０と相違するのは（図１（ａ），（ｂ）参照）、散薬フィーダ４０に代る散薬フィーダ６０が総て散薬分包機５０の筐体の中に格納されている点と、散薬分包機５０の筐体の上部において散薬フィーダ６０の上方に位置するところに開閉カバー５１（開閉蓋）が付設された点と、散薬分包機５０の筐体の中で散薬フィーダ６０と近いところに集塵ヘッド５２（集塵用吸気部）が追加された点である。
なお、散薬分配分割装置１２〜１４や，包装装置本体２０，集塵機本体３０などは、散薬分包機１０からそのまま引き継がれている。
【００２７】
また、散薬フィーダ６０（散薬供給装置）が従来の散薬フィーダ４０と相違するのは（図１（ｃ），（ｄ）参照）、散薬収容器４２に風を送り込む送風手段６１〜６２が付設された点と、散薬収容器４２が散薬を収容しているか空になっているかを検知する収容検出部材６３も付設された点と、収容検出部材６３による計測部位６５が特別に仕上げられて散薬送出部４３が散薬送出部６４になった点である。
なお、落下散薬の有無を検出する送出検出部材４４が散薬送出部６４の先方に設置されていることや、散薬収容器４２や散薬送出部６４がフィーダベース４６上の振動発生部材４５に装着されていること、散薬収容器４２の下から斜めに突き出た散薬送出部６４を振動させて散薬送出を行うこと等は、散薬フィーダ４０からそのまま引き継がれている。
【００２８】
各相違点を詳述すると、開閉カバー５１は（図１（ａ）〜（ｃ）参照）、散薬分包機５０の筐体の上面に形成された開口を開閉するために、例えば一辺が軸支されており対向辺寄りの上面部位に摘み等が取り付けられた板状蓋体からなり、開ければ開口から散薬を散薬フィーダ６０の散薬収容器４２に投入することができ、閉めれば筐体の外へ散薬が飛散するのを防止することができるようになっている。
集塵ヘッド５２は（図１（ａ）〜（ｃ）参照）、集塵ヘッド３２同様、集塵ホース等で集塵機本体３０に繋がれていて、集塵の必要なときには吸気を行うようになっている。
【００２９】
送風手段６１〜６２は（図１（ｃ），（ｄ）参照）、図示しない内蔵のエアポンプや外部のコンプレッサ等から供給された圧搾空気を導くチューブ６１と、その先端に接続され吹出口を散薬収容器４２の上部開口に向けたノズル６２とを具えており、ノズル６２から圧搾空気を吹き出して局所的な風を起し、その風を散薬収容器４２の上部開口から散薬収容器４２の中へ送り込むようになっている。散薬収容器４２の内側に満遍なく風が行き渡るようにするにはノズル６２に広角吹出のものが採用され、散薬収容器４２や散薬送出部６４の表面のうち特定箇所たとえば計測部位６５にだけ強く風が当たるようにするにはノズル６２に狭角吹出のものが採用される。
【００３０】
収容検出部材６３は（図１（ｃ），（ｄ）参照）、発光ダイオードやフォトセンサ等からなる光学式の検出部材であり、開閉カバー５１の下面に付設されている。そして、開閉カバー５１が閉じている状態では、送受光先が下向きになり、散薬収容器４２が空であれば送光が散薬収容器４２の中に入って底面４２ｂを進んでから散薬送出部６４の計測部位６５に当たるようになっている。また、計測部位６５で反射して逆向きに進むことになった反射光が散薬収容器４２の中を通過して戻って来ると、その反射光を検出するようになっている。その検出結果が制御装置１９に送出されて送風手段６１〜６２による散薬収容器４２への送風や振動発生部材４５による散薬送出部６４と散薬収容器４２の振動の制御に利用されるようにもなっている。
【００３１】
収容検出部材６３による計測部位６５は（図１（ｄ）参照）、直進光の反射率を高めるために鏡面状に仕上げられており、散薬送出部６４の上面の一部分を占め、散薬収容器４２の底面４２ｂの下で、散薬収容器４２の上部開口から見えるところに位置している。計測部位６５の面積は反射光測定に適う範囲で小さくされ、この計測部位６５は別として散薬送出部６４の上面や散薬収容器４２の内面など散薬の接触するところには散薬の付着しにくいマット仕上げが施されている。
このような散薬フィーダ６０は、散薬送出部６４に加えて散薬収容器４２まで散薬分包機５０の筐体の中に収められており、散薬フィーダ６０に付設された送風手段６１〜６２と収容検出部材６３も散薬分包機５０の筐体の中に設置されている。送出検出部材４４はもとより筐体の中に設置されている。
【００３２】
この実施例１の散薬分包機５０について、その使用態様及び動作を、図面を引用して説明する。図１（ｅ），（ｆ）は何れも散薬フィーダ６０の概要ブロック図であり、そのうち（ｅ）は散薬フィーダ６０に散薬７０を補充したところ、（ｆ）は散薬フィーダ６０から散薬７０を排出し終えるところを示している。また、図１（ｇ）は振動強度Ａと散薬排出量Ｂと風量Ｃの時間変化を示すグラフである。
【００３３】
この場合も、自動分包処理に先立ち、作業者が分包しようとする散薬７０を必要量だけ秤量して散薬フィーダ６０の散薬収容器４２へ投入するのであるが、そのとき作業者は開閉カバー５１を開けて散薬７０の投入を行い（図１（ｅ）参照）、そして開閉カバー５１を閉めてから、散薬分包機５０を作動させる。そうすると、後は散薬分包機５０によって自動で散薬７０が分包される。
具体的には（図１（ｇ）参照）、先ず振動発生部材４５の振動強度Ａが弱に設定されて（時刻ｔ１）、散薬送出部６４及び散薬収容器４２が弱強度の一定振動を継続するので（時刻ｔ１〜ｔ２）、散薬フィーダ６０から環状テーブル１３への散薬排出量Ｂがほぼ一定に維持される。
【００３４】
一方、この散薬分包機５０の制御装置１９では、上位の制御装置等からダウンロードした散薬７０の処方量や自動か手動で入力した散薬７０の秤量値などと予め判明している振動強度Ａでの平均流量とから散薬収容器４２が空になるのより少しだけ早い予測タイミングが算出され、そのタイミングが来ると（時刻ｔ２）、ノズル６２から散薬収容器４２への風量Ｃがゼロから弱に上げられる。これにより、散薬収容器４２の中に風が送り込まれるが、散薬７０の舞い上がりは少なくて済む。そして、散薬収容器４２の内壁面に付着した散薬７０の多くが風を受けて底面４２ｂへ落下するとともに、底面４２ｂの下方の計測部位６５やその周囲など散薬送出部６４の上流部に僅かに残っていた散薬７０も風と振動とによって速やかに散薬送出部６４の下流へ移動する。
【００３５】
すると、計測部位６５が露出して反射光が収容検出部材６３によって検出されるので（図１（ｆ）参照）、そのタイミングで（時刻ｔ３）、制御装置１９の制御によって、風量Ｃが弱から中へ例えば段階的に増強され、振動強度Ａが弱から中へ例えば漸増される。
これにより散薬７０の排出能力が強化されるが、散薬７０が残っているのは既に散薬送出部６４の下流部だけになっていて、散薬７０の供給量が元から絞られているので、散薬排出量Ｂは速やかに減少する（時刻ｔ３〜ｔ４）。
【００３６】
そして、散薬送出部６４先端から落下する散薬７０が無くなったことが送出検出部材４４によって検出されると、そのタイミングで（時刻ｔ４）、制御装置１９の制御によって、振動強度Ａも風量Ｃも強に上げられる。
それから所定時間の経過後に振動と送風が止められて振動強度Ａも風量Ｃもゼロになるが（時刻ｔ５）、その間（時刻ｔ４〜ｔ５）に散薬フィーダ６０から排出されるのは振動や風力に抗して付着し続けた僅少の散薬７０だけなので、散薬排出量Ｂの反転上昇が明確に観測されるほど散薬排出量Ｂが一時増量することはなく、そのため、散薬排出量Ｂが安定して速やかに漸減してゼロになる。
【００３７】
こうして、散薬フィーダ６０から散薬７０がほぼ一定流量で送出されると、後は散薬分包機１０のときとほぼ同様にして、散薬７０が定速回転中の環状テーブル１３上へほぼ均一に分配される。ただし、その分配は完了直前の時間（時刻ｔ３〜ｔ５）の短縮によって従来より迅速に完了し、分配の均一度も完了時（時刻ｔ４〜ｔ５）における散薬排出量Ｂの漸減の安定によって従来より向上している。そして、分配が済むと、逐次、環状テーブル１３の所定角度回転と切り出し装置１２による切り出しとが行われ、切り出された散薬は、共通ホッパー１５を経て、投入ホッパー２４が上下動する度にそこへ投入され、包装装置本体２０によって分包帯のそれぞれの区分内に封じられる。
【００３８】
［その他］
上記実施例では、計測部位６５を展開図で視認しやすいよう、散薬収容器４２と散薬送出部６４とが別体になったものを図示したが、散薬収容器４２と散薬送出部６４は一体化されていても良い。
上記実施例では、集塵ヘッドが包装装置本体と散薬フィーダ近傍にだけ装備されていたが、他の適宜な所にも設置して良く、手持ち式の集塵ヘッドを筐体外面に掛止等しても良い。また、集塵ヘッドを複数設置したとき、集塵機本体は、個別に設けて複数化しても良く、共用化して少数か単数だけ設けても良い。
上記実施例では、散薬フィーダや散薬分配分割装置を２台実装した散薬分包機を説明したが、散薬分包機に組み込まれる散薬フィーダ等は１台でも３台以上でも良い。
上記実施例では、散薬送出部６４が散薬収容器４２の下から斜めに突き出ていたが、散薬送出部６４は散薬収容器４２の下方に設けられて振動排出可能になっていれば良い。
【産業上の利用可能性】
【００３９】
本発明の散薬調剤機は、上述した散薬分包機に限らず、散薬分配分割装置や、散薬分配装置、散薬供給装置、散薬取出装置などにも適用できる。
【図面の簡単な説明】
【００４０】
【図１】本発明の散薬調剤機の実施例１について、散薬分包機の構造等を示し、（ａ）が外観斜視図、（ｂ）が右側面模式図、（ｃ）が散薬フィーダの概要ブロック図、（ｄ）が散薬フィーダの要部の展開斜視図、（ｅ），（ｆ）が散薬フィーダの概要ブロック図、（ｇ）が振動強度と散薬排出量と風量の時間変化を示すグラフである。
【図２】従来の散薬分包機を示し、（ａ）が正面模式図、（ｂ）が外観斜視図、（ｃ），（ｄ）が右側面模式図、（ｅ）が散薬フィーダの概要ブロック図、（ｆ）が散薬フィーダの散薬収容器及び散薬送出部の斜視図である。
【符号の説明】
【００４１】
１０…散薬分包機（散薬調剤機）、
１２…切り出し装置、１３…環状テーブル、１４…テーブル駆動部、
１５…共通ホッパー、１７…包装装置台座（引出部）、
１８…包装装置引出（引出機構）、１９…制御装置（コントローラ）、
２０…包装装置本体、２４…投入ホッパー、
３０…集塵機本体（集塵用負圧吸引源）、
３１…集塵ホース（集塵用管体部）、３２…集塵ヘッド（集塵用吸気部）、
４０…散薬フィーダ（散薬供給装置）、
４１…駆動回路、４２…散薬収容器、４２ａ…排出口、４３…散薬送出部、
４４…送出検出部材、４５…振動発生部材、４６…フィーダベース、
５０…散薬分包機（散薬調剤機）、
５１…開閉カバー（開閉蓋）、５２…集塵ヘッド（集塵用吸気部）、
６０…散薬フィーダ（散薬供給装置）、
６１…チューブ（送風手段）、６２…ノズル（送風手段）、
６３…収容検出部材、６４…散薬送出部、６５…計測部位、
７０…散薬
【図１】
2008149036.tif 000003
【図２】
2008149036.tif 000004